(57)【要約】      （修正有）【課題】飲用グラスに多様な装飾を施すことができるグラス用装飾具を提供する。【解決手段】ユーザは、例えば、グラス用装飾具１のリング部に装飾物３０のリングを装着する。そして、グラス用装飾具１の装着部を、飲用グラスの口縁部４０に引っ掛ける。このとき、装着部と反対側に装飾部が設けられているため、装飾部の正面側がグラスの外側に位置し、外から容易に見える。【選択図】図６
0003153944.tif 000002
【実用新案登録請求の範囲】
【請求項１】
装飾部と、
前記装飾部と一体となって形成され、前記装飾部をグラスの外側に位置させるように、前記グラスの口縁部に着脱可能に装着される装着部と
を有するグラス用装飾具。
【請求項２】
前記装飾具には、アクセサリーを装着するためのリング部が一体的に形成されている
請求項１に記載のグラス用装飾具。
【請求項３】
前記装着部は、前記装飾部の前記グラス当たる部分に対して、略４５度傾斜している
請求項１または請求項２に記載のグラス用装飾具。
【考案の詳細な説明】
【技術分野】
【０００１】
本考案は、飲用グラスに装着されるグラス用装飾具に関する。
【背景技術】
【０００２】
パーティ等で使われる飲用グラスには、パーティ会場の雰囲気作りのために、何らかの装飾を施したいという要請がある。  
【考案の開示】
【考案が解決しようとする課題】
【０００３】
しかしながら、パーティの趣旨や参加者のタイプ等によって、どのような装飾が適しているかは異なる。
また、飲用グラス自体に装飾が施されていると、パーティの趣旨等のために多くの数の飲用グラフを容易する必要があるという問題がある。
【０００４】
本考案は、上述した従来技術に鑑みてなされ、飲用グラスに多様な装飾を施すことができるグラス用装飾具を提供することを目的とする。
【課題を解決するための手段】
【０００５】
上述した従来技術の問題点を解決し、上述した目的を達成するため、本考案のグラス用装飾具は、装飾部と、前記装飾部と一体となって形成され、前記装飾部をグラスの外側に位置させるように、前記グラスの口縁部に着脱可能に装着される装着部とを有する。
【０００６】
本項案のグラス用装飾具では、飲用グラスの口縁部に装着部を装着する。装着後に装飾部がグラスの外側に位置する。
そのため、飲用グラスが装飾部によって装飾される。
【０００７】
好適には、本考案のグラス用装飾具の前記装飾具には、アクセサリーを装着するためのリング部が一体的に形成されている。
【０００８】
好適には、本考案のグラス用装飾具の前記装着部は、前記装飾部の前記グラス当たる部分に対して、略４５度傾斜している。
【考案の効果】
【０００９】
本考案によれば、飲用グラスに多様な装飾を施すことができるグラス用装飾具を提供することができる。
【考案を実施するための最良の形態】
【００１０】
以下、本考案の実施形態に係るグラス用装飾具について説明する。
図１は本発明の実施形態に係るグラス用装飾具１の正面図、図２はグラス用装飾具１の背面図、図３はグラス用装飾具１の平面図、図４はグラス用装飾具１の右側面図、図５はグラス用装飾具１の底面図である。
図６および図７は、本発明の実施形態に係るグラス用装飾具を飲用グラスの縁に装着した場合の正面図および背面図である。
【００１１】
図１〜図５に示すように、グラス用装飾具１は、例えば、装飾部１０、装着部１２、リング部１４を有する。
グラス用装飾具１は、例えば、金属で構成されている。
図１に示すように、装飾部１０の正面は、ハート形である。図２に示すように、装飾部１０の内部はくり抜かれている。
【００１２】
装飾部１０の形状は、ハート形には、特に限定されない。また、素材も金属である必要はないし、金属とその他の素材の組み合わせでもよい。
【００１３】
図２〜図５に示すように、装飾部１０の背面には、フック形状の装着部１２が装飾部１０と一体的に形成されている。
装着部１２は、装飾部１０の上部（飲用グラスに装着された状態で上方に位置する部分）で装飾部１０と結合し、装飾部１０の下部に向けて延びた形状をしている。
装着部１２は、図４に示すように、側面方向から見て装飾部１０に対して約４５度の角度をもって傾斜している。
また、装着部１２は、フック形状の先端に向かうに従って幅が細くなっている。また、装着部１２の先端は半円弧状になっている。
また、装着部１２の先端は、装飾部１０の下部から約１／４の高さの位置まで達している。
【００１４】
装飾部１０の下部には、装飾部１０と一体となってリング部１４が形成されている。
リング部１４には、例えば、図６に示すように、さらに他の装飾物３０を引っ掛けることができる。
リング部１４には、例えば、ペンダント、ブレスレッド、指輪、ピアス、金ホルダー等が引っ掛けられる。
【００１５】
グラス用装飾具１の寸法は、飲用グラスに装着可能なものであれば特に限定されないが、例えば、高さ約３５ｍｍ、幅約２２ｍｍ、厚さ約１１ｍｍである。
【００１６】
以下、グラス用装飾具１の使用方法を説明する。
ユーザは、例えば、グラス用装飾具１のリング部１４に装飾物３０のリングを装着する。
そして、ユーザは、図６および図７に示すように、グラス用装飾具１の装着部１２を飲用グラスの口縁部４０に引っ掛ける。
このとき、装着部１２と反対側に装飾部１０が設けられているため、装飾部１０の正面側がグラスの外側に位置し、外から容易に見える。そのため、高い装飾効果を発揮できる。
【００１７】
グラス用装飾具１では、飲用グラスの口縁部４０に装着されたグラス用装飾具１の装飾部１０および装飾物３０により、飲用グラスに多様な装飾を施すことができる。
また、装飾部１０と装飾物３０との組み合わせにより、多様な装飾効果を発揮できる。
【００１８】
また、グラス用装飾具１では、上述したように、図４に示すように、側面方向から見て装飾部１０に対して約４５度の角度をもって傾斜し、かつ、装着部１２の先端が装飾部１０の下部から約１／４の高さの位置まで達するように構成した。これにより、グラス用装飾具１を飲用グラスの口縁部４０に安定した状態で装着できる。
また、グラス用装飾具１では、リング部１４をフック形状の先端に向かうに従って幅が細くなるように構成した。そのため、内径が小さい飲用グラスの口縁部４０にも装着可能である。
【００１９】
また、グラス用装飾具１では、装飾部１０および装飾物３０として、その飲用グラスを使用するユーザに固有のものを用いることで、そのユーザの使用中の飲用グラスを容易に識別できる。
【００２０】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２１】
上述した実施形態では、装飾部１０としてハート形の金属を例示したが、ネイルアートが施せる樹脂面を用いてもよい。この樹脂面にネイルアートを施すことで、高い装飾効果を発揮できる。
また、上述した実施形態では、図２〜図５に示す形状の装着部１２を例示したが、本考案の装着部は、これらに限定されず、装飾物３０の口縁に着脱可能に装着できるものであればよい。
【産業上の利用可能性】
【００２２】
本考案は、飲用グラスに装着されるグラス用装飾具に適用可能である。
【図面の簡単な説明】
【００２３】
【図１】図１は、本発明の実施形態に係るグラス用装飾具の正面図である。
【図２】図２は、図１に示すグラス用装飾具の背面図である。
【図３】図３は、図１に示すグラス用装飾具の平面図である。
【図４】図４は、図１に示すグラス用装飾具の右側面図である。
【図５】図５は、図１に示すグラス用装飾具の底面図である。
【図６】図６は、本発明の実施形態に係るグラス用装飾具を飲用グラスの縁に装着した場合の正面図である。
【図７】図７は、本発明の実施形態に係るグラス用装飾具を飲用グラスの縁に装着した場合の背面図である。
【符号の説明】
【００２４】
１…グラス用装飾具
１０…装飾部
１２…装着部
１４…リング部
３０…装飾物
４０…飲用グラスの口縁部
【図１】
0003153944.tif 000003
【図２】
0003153944.tif 000004
【図３】
0003153944.tif 000005
【図４】
0003153944.tif 000006
【図５】
0003153944.tif 000007
【図６】
0003153944.tif 000008
【図７】
0003153944.tif 000009